(57)【特許請求の範囲】
【請求項１】
暖房用温水が循環させられる木質床暖房マットを部屋の床面に敷設した後に、この木質床暖房マットの周縁部と前記部屋の内壁面との間の隙間に、前記木質床暖房マットの表面と略同一基調の表面を有し、かつ、予め設定された複数種類の形状を有する木質補助マットを、前記隙間の形状に応じて敷設することにより、前記床面をほぼ全面に亘って覆うと共に、前記木質補助マットと前記部屋の内壁面との間に、これらの隙間を覆う合成樹脂製の側縁仕上げ材を敷設し、この側縁仕上げ材は、部屋の内壁面に当接させられる突き当て片と、この突き当て片の側面から床面に沿う方向に突設された覆い片と、この覆い片の下面に一体に垂設され、部屋の床面に当接させられる支持片と、前記覆い片の下面に形成された凹部を有して構成され、この側縁仕上げ材の凹部内に前記木質床暖房マットへ暖房用温水を供給するための温水管を収納するようにしたことを特徴とする床暖房装置の施工方法。
【発明の詳細な説明】
【０００１】
【発明の属する技術分野】
本発明は、部屋の床に暖房用温水を循環させることにより、前記床を暖めるようにした床暖房装置の施工方法に関するものである。
【０００２】
【従来の技術】
従来、この種の床暖房装置として、たとえば、特開平２−２３３９１２号公報に示されるように、家屋の建築時に、断熱材の表面に良熱伝導材を貼付した均熱板を床桟の間に敷設し、この均熱板の上面に、暖房用温水を循環させるための温水管を埋設するとともに、この均熱板の表面を覆って木質床材を敷き詰めることによって構成され、家屋の床と一体化された床暖房装置が知られている。
【０００３】
そして、このような従来の床暖房装置は、たとえば室外に設置されている熱源機において加熱された暖房用温水を前記温水管へ循環させ、この暖房用温水の熱を前記良熱伝導材によって床面方向に均一に伝達しつつ前記木質床材を暖めることによって床暖房を行なうようになっている。
【０００４】
【発明が解決しようとする課題】
ところで、このような従来の床暖房装置においては、家屋の床に一体的に組み付けられる構成であることから、施工が大掛かりになってしまうとともに、施工後における保守点検作業が繁雑であるといった不具合を有している。
【０００５】
また、このような不具合を解消するために、カーペット状の温水マットを既設の床面に載置し、この温水マットに暖房用温水を循環させるようにした床暖房装置も提案されている。
【０００６】
しかしながら、このような温水マットを用いた床暖房装置にあっては、床面の一部が温水マットによって覆われてしまうことから、床面の木質感が損なわれてしまい、部屋の雰囲気が変化してしまうといった不具合があり、また、歩行等による外力が温水マットに作用した場合、この温水マットがずれてしまうことがある。
【０００７】
本発明は、このような従来の問題点に鑑みてなされたもので、位置ずれがなくまた、床の木質感を損なうことがなく、かつ、施工や保守点検の容易な床暖房装置の施工方法を提供することを目的とする。
【０００８】
【課題を解決するための手段】
本発明の請求項１に記載の床暖房装置の施工方法は、前述した目的を達成するために、暖房用温水が循環させられる木質床暖房マットを部屋の床面に敷設した後に、この木質床暖房マットの周縁部と前記部屋の内壁面との間の隙間に、前記木質床暖房マットの表面と略同一基調の表面を有し、かつ、予め設定された複数種類の形状を有する木質補助マットを、前記隙間の形状に応じて敷設することにより、前記床面をほぼ全面に亘って覆うと共に、前記木質補助マットと前記部屋の内壁面との間に、これらの隙間を覆う合成樹脂製の側縁仕上げ材を敷設し、この側縁仕上げ材は、部屋の内壁面に当接させられる突き当て片と、この突き当て片の側面から床面に沿う方向に突設された覆い片と、この覆い片の下面に一体に垂設され、部屋の床面に当接させられる支持片と、前記覆い片の下面に形成された凹部を有して構成され、この側縁仕上げ材の凹部内に前記木質床暖房マットへ暖房用温水を供給するための温水管を収納するようにしたことを特徴としている。
【００１１】
【発明の実施の形態】
以下、本発明の一実施形態について図面を参照して説明する。
【００１２】
図１は、本実施形態に用いられる床暖房装置の主要構成部材を示すもので、木材によって所定形状に形成されるとともに、内部に暖房用温水が循環させられる長方形状の木質床暖房マット１と、この木質床暖房マット１の周縁部に沿って敷設される木質補助マット２と、さらに、この木質補助マット２と後述する部屋の内壁面との間に敷設される側縁仕上げ材３とに大別されている。
【００１３】
詳述すれば、前記木質床暖房マット１は、たとえば、２４００ｍｍ×１２００ｍｍ、２４００ｍｍ×１８００ｍｍ、あるいは、２４００ｍｍ×２４００ｍｍの複数の形状に形成され、部屋の大きさに応じて、単独であるいは複数組み合わされて使用されるものである。
【００１４】
また、前記木質床暖房マット１の裏面には、図３に示すように、所定深さに連続した溝４が形成され、この溝４は、図２に示すように、羊腸状に形成されているとともに、その両端部が、前記木質床暖房マット１の一辺において、この木質床暖房マット１の側縁に開放されている。
【００１５】
そして、前記溝４内には、暖房用温水を循環させるための温水管５が装着されており、この温水管５の両端部は、図２に示すように、前記溝４の両端部から木質床暖房マット１の側部へ引き出され、また、必要に応じて、前記木質床暖房マット１の裏面には、前記温水管５から放出される熱を、木質床暖房マット１の面方向に均一に伝達させるためのアルミニウム薄板等の均熱材が貼付され、さらに、床面との接触を円滑に行ないあるいは床面への熱伝達を抑制するために、前記均熱板の表面に不織布等が貼付される。
【００１６】
前記木質補助マット２は、前記木質床暖房マット１と同一の材質によって形成されており、本実施形態においては、その寸法が２４００ｍｍ×３００ｍｍである第１の木質補助マット２ａと、３００ｍｍ×６００ｍｍの第２の木質補助マット２ｂと、４５０ｍｍ×６００ｍｍの第３の木質補助マット２ｃと、４５０ｍｍ×３００ｍｍの第４の木質補助マット２ｄと、３００ｍｍ×３００ｍｍの第５の木質補助マット２ｅとの５種類の形状に形成されているが、第４の木質補助マット２ｄは第３の木質補助マット２ｃの長手方向の一部を切断して形成してもよく、一方、第５の木質補助マット２ｅは第２の木質補助マット２ｂの長手方向の一部を切断して形成してもよい。
【００１７】
なお、図１において、前記木質床暖房マット１や各木質床暖房マット２（２ａ〜２ｅ）を異なる網掛けによって示してあるが、これは、形状の相違を示すためのものであり、実際には、これらの表面が、同一基調の木目に仕上げられている。
【００１８】
一方、これらの木質床暖房マット１や木質補助マット２の外縁部には、図３〜図５に示すように、これらの端部どうしを突き合わした際に相互に嵌合させられる係止溝６と係合突条７が形成されて、一つの木質床暖房マット１や木質補助マット２の平行な一対の辺の一方に前記係止溝６が形成され、他方の辺に係合突条７が形成されている。
【００１９】
そして、これらの木質床暖房マット１や木質補助マット２は、その側縁を相互に突き合わせた後に連結されるのであるが、これらの連結構造について、図４および図５に基づき説明する。
【００２０】
前記木質床暖房マット１や木質補助マット２の裏面には、その端縁から面方向に沿って所定長さの案内溝８が形成され、この案内溝８の木質床暖房マット１や木質補助マット２の内側の端部近傍には、木質床暖房マット１や木質補助マット２を板厚方向に貫通する貫通孔９が形成されており、前記案内溝８は、木質床暖房マット１や木質補助マット２を相互に突き合わせた状態において連続させられるようになされているとともに、その内部に、連結金具１０が挿入されるようになされている。
【００２１】
この連結金具１０の両端部には、前記案内溝８に挿入された状態において前記貫通孔９に重畳させられるねじ穴１１がそれぞれ形成され、これらのねじ穴１１に、前記貫通孔９に挿入されるビス１２が螺着されることにより、前記連結金具１０が木質床暖房マット１や木質補助マット２へ固定されるとともに、この連結金具１０を介して木質床暖房マット１や木質補助マット２が連結されるようになされている。
【００２２】
ついで、前記側縁仕上げ材３について図６〜図８に基づき説明すれば、この側縁仕上げ材３は、本実施形態においては合成樹脂によって形成されており、部屋の内壁面に当接させられる突き当て片１３と、この突き当て片１３の側面から床面に沿う方向に突設された覆い片１４と、この覆い片１４の下面に一体に垂設され、部屋の床面に当接させられる支持片１５とによって構成されている。
【００２３】
そして、前記側縁仕上げ材３は部屋の床面上に設置した状態において、前記覆い片１４と床面との間隔が、前記木質床暖房マット１や木質補助マット２の厚みと略一致するように形成されており、これによって、前記覆い片１４の下面に凹部Ｐが形成されて、この凹部Ｐ内に、図６に示すように、前記温水管５が収納されるようになっている。
【００２４】
さらに、前記支持片１５は、図６に示すように、前記覆い片１４をその突出方向に等分割するように複数（本実施形態においては２個）設けられているとともに、前記覆い片１４の、前記各支持片１５に対応した位置には、切り込み１６が全長に亘って形成されており、これらの切り込み１６に沿って切断することにより前記覆い片１４の幅が調整可能で、前記木質補助マット２と部屋の内壁面との隙間の大きさに容易に対応できるようになされている。
【００２５】
一方、前記側縁仕上げ材３は、部屋の内壁面全辺に敷設されるか、あるいは、直交する２辺に敷設されるもので、隣接する一対の側縁仕上げ材３の端部間には、これらの端部間の隙間を覆うための隅部仕上げ材１７が、図１に示すように設けられる。
【００２６】
ついで、このような構成を有する床暖房装置を施工するには、まず、図９に示すように、暖房用水の供給源となる熱源機１８を部屋の外部に設置するとともに、部屋の所定位置にカプラ１９を設置しておく。
【００２７】
これより、部屋の大きさに応じて木質床暖房マット１や木質補助マット２および側縁仕上げ材３の種類および数を設定するとともに、これらの設置位置を設定した後に、部屋の直交する２辺に沿って前記木質補助マット２を順次敷設し、隣接する木質補助マット２間を連結金具１０およびビス１２によって順次連結する。
【００２８】
このように部屋の２辺に対する木質補助マット２の敷設が終了した後に、これらの木質補助マット２の内側に木質床暖房マット１を設置するとともに、この木質床暖房マット１を連結金具１０およびビス１２を用いて既設の木質補助マット２へ連結し、さらに、前記木質床暖房マット１の側縁から突出させられている温水管５に延長管（図示略）を接続するとともに、この延長管を前記カプラ１９に接続する。
【００２９】
ついで、部屋の他の２辺に沿って木質補助マット２を順次敷設するとともに、この木質補助マット２間および木質床暖房マット１との間の連結を行ない、さらに、最外部に位置する木質補助マット２と部屋の内壁面との隙間に側縁仕上げ材３を設置する。
【００３０】
このとき、前記部屋の内壁面全辺において、最外部に位置する木質補助マット２との間に隙間を設けるように前記木質床暖房マット１および木質補助マット２を敷設した場合には、前記部屋の全辺に前記側縁仕上げ材３を設置し、あるいは、部屋の２辺に対して、木質補助マット２を直接突き当てて設置した場合には、部屋の他の２辺に前記側縁仕上げ材３を設置し、さらに、これらの側縁仕上げ材３の端部間の隙間に隅部仕上げ材１７を設置してその隙間を覆う。
【００３１】
以上の作業によって図９および図１０に示すように床暖房装置の施工を完了する。
【００３２】
このようにして施工された床暖房装置は、図９に示すように、木質床暖房マット１と部屋の内壁面との間の隙間が木質補助マット２によって埋められ、かつ、この木質補助マット２が種々の形状に形成されて、敷設する部屋の大きさに応じて選択的に用いられることにより、床暖房装置の施工面積を、既設の床面積に極力近づけることができ、これによって、施工後における床面の基調がほぼ一様となり、部屋の雰囲気が変化することが抑制され、かつ、床暖房装置と部屋の内壁面との隙間が小さく抑えられることにより、前記木質床暖房マット１のずれが抑制される。
【００３３】
また、床暖房装置の施工面積は、前述したように前記木質床暖房マット１と木質補助マット２の組み合わせによって得られるが、適用する家屋によっては、前記各マット１・２の組み合わせを変更しても、前記施工面積を部屋の床面積よりも小さくせざるを得ない場合が生じるが、本実施形態においては、これらの寸法差によって生じる木質補助マット２と部屋の内壁面との間の隙間に側縁仕上げ材３が敷設されることから、部屋の床面の露出がなくなって違和感もなくなるとともに、施工後において、段部や隙間がなくなることにより、埃がたまるといった不具合も解消され、かつ、掃除も容易となる。
【００３４】
しかも、木質暖房マット１や木質補助マット２を既設の床面に敷き詰めるといった簡便な作業によって床暖房装置の施工が可能となり、また、一旦敷設した各マットは、必要に応じて床面から取り外すことが可能であることから、保守点検等も容易である。
【００３５】
なお、前記実施形態において示した各構成部材の諸形状や寸法等は一例であって、適用する部屋の形状や種類、あるいは、設計要求等に基づき種々変更可能である。
【００３６】
たとえば、前記実施形態においては同一形状の木質床暖房マット１を２枚用いて床暖房装置を施工する例について示したが、部屋の大きさによっては、図１１に示すように木質床暖房マット１を１枚用いたり、図１２に示すように異なる大きさの木質床暖房マット１（１ａ・１ｂ）を組み合わせて用いてもよい。
【００３７】
また、前記実施形態においては木質床暖房マット１および木質補助マット２を一枚の板によって形成した例について示したが、これに代えて、図１３および図１４に示すように複数の幅狭のマット構成体１ｃを幅方向に突き合わせるとともに、その裏面に図１４に示すように、アルミニウム薄板等の熱拡散用の均熱材２０を貼付し、さらに、この均熱材２０の表面に不織布等からなる保護材２１を貼付することにより、これらの均熱材２０や保護材２１によって前記各マット構成体１ｃどうしを相互に連結するとともに、これらの各マット構成体１ｃどうしを、前記均熱材２０や保護材２１の可撓性を利用して、その連結部において相対回動可能な構造とし、さらに、前記各マット構成体１ｃの突き合わせ部に、前記実施形態と同様の係止溝６および係合突条７を設けておき、各マット構成体１ｃを相互に突き合わせた状態において、前記係止溝６と係合突条７と嵌合させることにより、各マット構成体１ｃの、その面と直交する方向への相対移動を拘束するようになされている。
【００３８】
さらに、このような複数のマット構成体１ｃによって木質床暖房マット１を構成する場合には、その内部に配設される温水管５を架橋ポリエチレン等の可撓性を有する材料によって形成する。
【００３９】
このような構成とすることにより、前記各マット構成体１ｃどうしを相互に離間する方向に相対回動させることにより、木質床暖房マット１を図１５に示すように円筒状に巻き付けた状態とすることができ、これによって、梱包や収納を容易にする。
【００４０】
図１３および図１４においては木質床暖房マット１についてその変形例を示してあるが、溝４を形成したりその内部に温水管５を設置する構成以外は、木質補助マット２においても同様の連結構造が採用可能である。
【００４１】
そして、木質補助マット２に前記構成を適用した場合においては、この木質補助マット２は、前記均熱材２０や保護材２１をカッター等によって切断することにより、前記マット構成体１ｃ単位でその幅寸法を調整することが可能となり、これによって、床暖房装置の施工面積の調整可能範囲が拡大される。
【００４２】
【発明の効果】
以上説明したように、本発明の請求項１に係わる床暖房装置の施工方法によれば、木質床暖房マットと部屋の内壁面との間の隙間が木質補助マットによって埋められ、かつ、この木質補助マットが種々の形状に形成されて、敷設する部屋の大きさに応じて選択的に用いられることにより、床暖房装置の施工面積を、既設の床面積に極力近づけることができ、これによって、施工後における床面の木質感を維持しつつ、その基調をほぼ一様にして部屋の雰囲気が変化することを抑制することができる。
【００４３】
また、床暖房装置と部屋の内壁面との隙間を小さく抑えることにより、前記木質床暖房マットのずれを抑制することができる。
【００４４】
しかも、木質暖房マットや木質補助マットを既設の床面に敷き詰めるといった簡便な作業によって床暖房装置の施工が可能となり、また、一旦敷設した各マットは、必要に応じて床面から取り外すことが可能であることから、保守点検等も容易である。
【００４５】
また、木質床暖房マットと木質補助マットの組み合わせを変更しても、前記施工面積を部屋の床面積よりも小さくせざるを得ない状態が生じた場合、これらの寸法差によって生じる木質補助マットと部屋の内壁面との間の隙間に側縁仕上げ材を敷設することによって前記隙間を覆いこれによって、部屋の床面の露出をなくして違和感をなくすとともに、施工後において段部や隙間をなくすことにより、埃がたまるといった不具合をも解消することができる。
【００４６】
さらに、側縁仕上げ材の下部に設けられた凹部を利用して温水管を収納することにより、この温水管が露出させられることを防止して、その損傷を抑制することができるとともに外観が損なわれることを防止することができる。
【図面の簡単な説明】
【図１】本発明の一実施形態によって施工される床暖房装置の分解図である。
【図２】本発明の一実施形態によって施工される床暖房装置の木質床暖房マットの平面図である。
【図３】本発明の一実施形態によって施工される床暖房装置の木質床暖房マットの縦断面図である。
【図４】本発明の一実施形態によって施工される床暖房装置の木質床暖房マットと木質補助マットとの連結構造を示す要部の平面図である。
【図５】本発明の一実施形態によって施工される床暖房装置の木質床暖房マットと木質補助マットとの連結構造を示す要部の縦断面図である。
【図６】本発明の一実施形態によって施工される床暖房装置の側縁仕上げ材の縦断面図である。
【図７】本発明の一実施形態によって施工される床暖房装置の側縁仕上げ材の縦断面図である。
【図８】本発明の一実施形態によって施工される床暖房装置の側縁仕上げ材の縦断面図である。
【図９】本発明の一実施形態によって施工された床暖房装置の平面図である。
【図１０】本発明の一実施形態によって施工された床暖房装置の要部を示す縦断面図である。
【図１１】本発明の他の施工例を示す平面図である。
【図１２】本発明のさらに他の施工例を示す平面図である。
【図１３】本発明の一実施形態によって施工される床暖房装置の木質床暖房マットの変形例を示す平面図である。
【図１４】本発明の一実施形態によって施工される床暖房装置の木質床暖房マットの変形例を示す要部の拡大縦断面図である。
【図１５】図１３に示す木質床暖房マットを巻き付けた状態を示す外観斜視図である。
【符号の説明】
１（１ａ・１ｂ）  木質床暖房マット
１ｃ  マット構成体
２（２ａ〜２ｅ）  木質補助マット
３  側縁仕上げ材
５  温水管
Ｐ  凹部
【図１】
0003604870.tif 000002
【図２】
0003604870.tif 000003
【図３】
0003604870.tif 000004
【図４】
0003604870.tif 000005
【図５】
0003604870.tif 000006
【図６】
0003604870.tif 000007
【図７】
0003604870.tif 000008
【図８】
0003604870.tif 000009
【図９】
0003604870.tif 000010
【図１０】
0003604870.tif 000011
【図１１】
0003604870.tif 000012
【図１２】
0003604870.tif 000013
【図１３】
0003604870.tif 000014
【図１４】
0003604870.tif 000015
【図１５】
0003604870.tif 000016